(57)【要約】【課題】開閉扉を容易に着脱することができるキャビネットを提供する。【解決手段】傾斜扉３の上部を支持する上部ガイドレール１０を有し、上部ガイドレール１０よりも手前側にオフセットした位置に傾斜扉３が取り付けられる食品陳列什器１であって、上部ガイドレール１０に沿って開閉方向へ移動する取付金具１１ａ、１１ｂを設け、取付金具１１ａ、１１ｂを上部ガイドレール１０の前側面１０ａよりも手前側へ突出させ、この突出した部分に傾斜扉３を取り付けるための取付部３４、４２を設けている【選択図】図２
2020162791.tif 000002
【特許請求の範囲】
【請求項１】
開閉扉の上部を支持する上部ガイドレールを有し、前記上部ガイドレールよりも手前側
にオフセットした位置に前記開閉扉が取り付けられるキャビネットであって、
前記上部ガイドレールに沿って開閉方向へ移動する取付金具を設け、前記取付金具を前記上部ガイドレールの前側面よりも手前側へ突出させ、この突出した部分に前記開閉扉を取り付けるための取付部を設けたことを特徴とするキャビネット。
【請求項２】
前記取付金具には、前後方向に延びる回転軸を中心にして開閉方向に回転する移動ローラーが設けられ、前記移動ローラーよりも前記取付部が前側に位置するようにしたことを特徴とする請求項１に記載のキャビネット。
【請求項３】
前記開閉扉には、開閉方向へスライド可能なロック部材が取り付けられ、前記ロック部材は、ロックした状態では、前記開閉扉の幅方向の端部よりも内側に位置し、ロックを解除した状態では、前記ロック部材を外側へスライドさせることで前記開閉扉の端部よりも外側へ突出するようにしたことを特徴とする請求項１または請求項２に記載のキャビネット。
【請求項４】
前記取付部には上下方向に突出する取付ピンが設けられ、前記ロック部材を前記開閉扉の内側にスライドさせて前記取付ピンを捕捉することで前記開閉扉をロックすることを特徴とする請求項３に記載のキャビネット。
【請求項５】
前記移動ローラーには、周方向に沿って連続するガイド溝が形成され、前記上部ガイドレールには、前記ガイド溝に上側および下側から入り込む上係合部および下係合部が形成されていることを特徴とする請求項２から請求項４のいずれか１つに記載のキャビネット。
【発明の詳細な説明】
【技術分野】
【０００１】
本発明は、オフセットした位置に取り付けられた開閉扉を開閉させて物品を収納するキャビネットに関する。
【背景技術】
【０００２】
従来、スーパーマーケットやコンビニエンスストアなどの食品店舗では、商品を取り出す開口部分を斜めに形成するとともに、商品を陳列する下側の棚部の棚面積を広く確保したキャビネット（食品陳列什器、ショーケースなどともいう）が使用されている。このような食品陳列什器では、利用者が棚部に置かれた商品が見易く、かつ商品を取り出し易いという点で利便性がある。
【０００３】
このような食品陳列什器では、食品の衛生状態を保つために、斜めに形成された開口部分を覆うようにして透明の傾斜扉（開閉扉）が設けられることがある。この開閉扉は、本体部に取り付けられた状態で、上部ガイドレールから手前方向へ斜め下側に延びるようにして、平板状、Ｌ字形状、或いは曲面状などに形成されている。すなわち、開閉扉は、上部ガイドレールに対して開閉扉の重心が手前側にオフセットした（ずらした）位置に配置されることになる。開閉扉は、この上部ガイドレールに沿って傾斜したままの状態で開閉方向（開口を正面に見て左右方向）に移動できるようになっている（例えば、特許文献１〜３参照）。
【０００４】
このような開閉扉を上部ガイドレールに取り付ける構造としては、上部ガイドレールの左右のいずれか一方の端部から、開閉扉を上部ガイドレールの内側にスライドさせて取り付けるものが一般的である。このような構造では、開閉扉を上部ガイドレールから着脱するのに手間がかかる。しかしながら、この開閉扉を清掃する際には、食品陳列什器から容易に着脱できる構造が好ましい。また、タイムセールなどの繁忙時には開閉扉を敢えて外しておき、終了後に再度取り付けるような使用態様も考えられる。
【０００５】
この開閉扉を容易に着脱できる技術としては、食品陳列什器ではない一般的な開閉扉の技術ではあるが、例えば特許文献４のようなものがある。この技術では、開閉扉の上辺部にこの開閉扉を吊り下げるためのフックを設け、スライドレールに沿って開閉方向へ走行する連結部材にこのフックを引っ掛けるだけで、開閉扉を吊り下げて容易に取り付けることができるようになっている。
なお、商品陳列棚では、上述したフックに引っ掛けて開閉扉を取り付ける構造のものは今までにない。
【０００６】
一方、フックを引っ掛けて取り付ける構造では、利用者が開閉するときに開閉扉を誤って持ち上げてしまい、フックが外れてしまうおそれがある。そのため、上述した特許文献４の技術では、開閉扉を吊り下げた状態でフックと連結部材との間に生じる上下方向の隙間（フックを引っ掛けるときに必要になるスペース）を埋めて、開閉扉が持ち上がらないようにするための脱落防止部材が別部材として取り付けられている。
【先行技術文献】
【特許文献】
【０００７】
【特許文献１】特開２００８−２０６６４０号公報
【特許文献２】特開２００９−１３１４３５号公報
【特許文献３】特開２０１２−１９６３１３号公報
【特許文献４】特開２００１−４０９３０号公報
【発明の概要】
【発明が解決しようとする課題】
【０００８】
しかしながら、特許文献４の技術では、脱落防止部材が開閉扉や連結部材とは別部材として構成されているため、脱落防止部材を単体で取り外さなければならない。そのため、構造を理解していない店舗の販売員では、脱落防止部材を取り外す作業が繁雑であり、短時間で容易に着脱することができない。また、仮に取り外せたとしても、構造に不慣れな販売員では、脱落防止部材の取り付け忘れなどの作業ミスを引き起こすおそれがあった。
【０００９】
また、特許文献４の脱落防止部材は、単体でねじ止めによって取り付けられているため、このねじを着脱する工具を使用するための作業スペースを広く確保する必要がある。しかしながら、より小型化が求められる商品陳列棚では、そのようなスペースを確保することが困難である。
【００１０】
さらに、特許文献４の脱落防止部材は、開閉扉を正面から見てその裏側に取り付けられ、正面から見えない位置にあるので、この着脱構造を十分に理解した作業者でなければ脱落防止部材の取り外しが困難である。そのため、店舗の販売員が開閉扉を容易に取り外せる構造ではない。
【００１１】
本発明は、上述した事情を鑑みてなされたものであり、その目的は、開閉扉を容易に着脱することができるキャビネットを提供するためのものである。
【課題を解決するための手段】
【００１２】
上述課題を解決するため、本発明は、開閉扉の上部を支持する上部ガイドレールを有し、前記上部ガイドレールよりも手前側にオフセットした位置に前記開閉扉が取り付けられるキャビネットであって、前記上部ガイドレールに沿って開閉方向へ移動する取付金具を設け、前記取付金具を前記上部ガイドレールの前側面よりも手前側へ突出させ、この突出した部分に前記開閉扉を取り付けるための取付部を設けたことを特徴とする。
【００１３】
また、前記取付金具には、前後方向に延びる回転軸を中心にして開閉方向に回転する移動ローラーが設けられ、前記移動ローラーよりも前記取付部が前側に位置するようにしたことを特徴とする。
【００１４】
さらに、前記開閉扉には、開閉方向へスライド可能なロック部材が取り付けられ、前記ロック部材は、ロックした状態では、前記開閉扉の幅方向の端部よりも内側に位置し、ロックを解除した状態では、前記ロック部材を外側へスライドさせることで前記開閉扉の端部よりも外側へ突出するようにしてもよい。
【００１５】
また、前記取付部には上下方向に突出する取付ピンが設けられ、前記ロック部材を前記開閉扉の内側にスライドさせて前記取付ピンを捕捉することで前記開閉扉をロックするようにしてもよい。
【００１６】
さらにまた、前記移動ローラーには、周方向に沿って連続するガイド溝が形成され、前記上部ガイドレールには、前記ガイド溝に上側および下側から入り込む上係合部および下係合部が形成されていてもよい。
【発明の効果】
【００１７】
本発明に係るキャビネットは、開閉扉の上部を支持する上部ガイドレールを有し、前記上部ガイドレールよりも手前側にオフセットした位置に前記開閉扉が取り付けられるものであり、前記上部ガイドレールに沿って開閉方向へ移動する取付金具を設け、前記取付金具を前記上部ガイドレールの前側面よりも手前側へ突出させ、この突出した部分に前記開閉扉を取り付けるための取付部を設けているので、開閉扉の着脱作業を上部ガイドレールの前側で行うことができる。これにより、取付部が前側面の後側に位置する構造と比較して、開閉扉を容易に着脱することができる。
【図面の簡単な説明】
【００１８】
【図１】本発明の実施の形態に係る食品陳列什器であって、傾斜扉を有する食品陳列什器の全体を示す斜視図である。
【図２】図１の状態から、右側の傾斜扉を取り外した状態を示す斜視図である。
【図３】図２の状態から、さらに左側の傾斜扉を取り外した状態であって、本体部のみを示す斜視図である。
【図４】図３本体部の分解斜視図である。
【図５】上部ガイドレール１０の部分の側部断面図である。
【図６】前側扉が取り付けられる取付金具を単体で示す斜視図である。
【図７】図６の側面図である。
【図８】後側扉が取り付けられる取付金具を単体で示す斜視図である。
【図９】傾斜扉の上部の斜視図である。
【図１０】後側扉を取付金具に取り付ける状態を斜め後ろ側から見た拡大斜視図である。
【図１１】固定具およびロック部材の固定前の状態を示す斜視図である。
【図１２】固定具およびロック部材の固定後の状態を示す斜視図である。
【図１３】図１１または図１２の分解斜視図である。
【図１４】固定具およびロック部材の固定前の状態であって、（Ａ）は上側から見た平面図、（Ｂ）は（Ａ）を下側から見た図、（Ｃ）は（Ｂ）の中央での断面図である。
【図１５】固定具およびロック部材の固定後の状態であって、（Ａ）は上側から見た平面図、（Ｂ）は（Ａ）を下側から見た図、（Ｃ）は（Ｂ）の中央での断面図である。
【発明を実施するための最良の形態】
【００１９】
以下、本発明の実施の形態に係る食品陳列什器１（キャビネット）について、図面を用いて詳細に説明する。なお、本実施の形態では、開閉扉３が上部ガイドレール１０よりも手前側にオフセットした位置にある一例として、傾斜した開口部を覆うようにして取り付けられた傾斜扉３を有するキャビネットについて説明する。
【００２０】
ここで、本明細書でいう「オフセットした位置に開閉扉が取り付けられるキャビネット」とは、一般的な引き戸のように上部ガイドレールの真下に開閉扉が吊り下げられるものとは異なり、上部ガイドレールよりも手前側で開閉扉が吊り下げられるタイプのキャビネットをいうものとする。より詳細には、開閉扉の重心が上部ガイドレールよりも手前側に位置し、吊り下げられた状態で上部ガイドレールに斜め方向の荷重が作用するタイプのキャビネットである。
【００２１】
図１は、傾斜扉３を有する食品陳列什器１の全体を示す斜視図である。また、図２は、図１の状態から、右側の傾斜扉３ａを取り外した状態を示し、図３は、さらに左側の傾斜扉３ｂを取り外した状態であって、キャビネット本体２のみを示す斜視図である。さらに、図４は、図３のキャビネット本体２の分解斜視図である。
【００２２】
なお、本実施の形態で使用する前後、左右、上下方向とは、図１で示す方向をいうものとする。また、開閉扉の開閉方向とは、左右方向をいうものとする。
【００２３】
食品陳列什器１は、図１〜図４に示すように、食品陳列什器本体部２（以下、本体部２という）の前側に、傾斜した構造の開口部が設けられており、この開口部を覆うようにして２枚の傾斜扉３（図１の右側に位置する前側扉３ａ、左側に位置する後側扉３ｂ）が取り付けられている。より詳細には、本体部２の前側部分は、下側から上側に向かうに従い、後側へ斜めに傾斜するように形成されており、この傾斜面が開口している。また、傾斜扉３も同様に、本体部２に取り付けられた状態で、傾斜扉３の上側が下側よりも後側に位置するように傾斜した状態になる。
【００２４】
なお、これらの前側扉３ａおよび後側扉３ｂは、いわゆる引き戸タイプの扉であり、左右方向に移動させることでそれぞれ開閉できるようになっている。また、この傾斜扉３は、アクリルまたはガラスなどの透明な材質で形成されており、閉じた状態で本体部２の内部が見えるようになっている。
【００２５】
本体部２は、その上側に、上部ガイドレール１０が取り付けられている。この上部ガイドレール１０は、開閉方向の左右の全長に亘って設けられている。また、この上部ガイドレール１０の内部には、図２〜図４に示すように、上部ガイドレール１０に沿って開閉方向に移動可能な取付金具１１ａ、１１ｂ（詳細な構造は後述する）が設けられている。この取付金具１１ａ、１１ｂは、移動ローラー３７（図５参照）を有し、上部ガイドレール１０内をスムーズに移動できるようになっている。なお、上部ガイドレール１０の上側には、図４に示すように、化粧板１２が取り付けられる。この化粧板１２は、上部ガイドレール１０に対してフラップするように取り付けられ、通常時は上部ガイドレール１０と傾斜扉３の隙間を隠すために閉じられており、傾斜扉３を外す際に、上部に回動させる。
【００２６】
また、本体部２は、その下側に、商品を陳列するための棚部４が設けられている。この棚部４は、上部ガイドレール１０よりも手前側に延びており、棚部４の棚面積を広く確保している。これにより、棚部４に陳列される商品が見やすく、かつ、出し入れし易くしている。
【００２７】
さらに、棚部４の前側には、図１〜図４に示すように、下部ガイドレール２０が取り付けられている。この下部ガイドレール２０も上部ガイドレール１０と同様に、開閉方向の左右の全長に亘って設けられている。
【００２８】
前側扉３ａは、図２に示すように、上側に持ち上げることで本体部２から取り外せるようになっている。より詳細には、前側扉３ａの上側部分は、上述した取付金具１１ａ、１１ａの上に置かれて、固定具によって固定される。
【００２９】
また、前側扉３ａの下側部分は、下部ガイドレール２０上にローラーを介して置かれている。これらにより、前側扉３ａは、取付金具１１ａ、１１ａが上部ガイドレール１０に沿って開閉方向へ移動することで、取り付けられた前側扉３ａも開閉方向へ自由に移動できるようになる。
【００３０】
なお、後側扉３ｂの上側部分および下側部分も前側扉３ａと同様な構造であり、上側に持ち上げることで本体部２から取り外すことができ、かつ、開閉方向へ自由に移動できる。
【００３１】
図５は、上部ガイドレール１０の部分の側部断面図である。上部ガイドレール１０は、押出成形によって製作されており、その内部に取付空間Ｓ１、Ｓ２、Ｓ３が画成されている。より詳細には、上部ガイドレール１０の前側に位置する前壁部１４、後側に位置する後壁部１５、および内部を区画する中間壁部１３ａ、１３ｂによって、取付空間Ｓ１、Ｓ２、Ｓ３が前後方向に画成されている。また、上部ガイドレール１０の下側は、開口している。
【００３２】
取付空間Ｓ１、Ｓ３には、クローザー（図示せず）が取り付けられる。このクローザーは開閉方向両方に取り付けられており、緩衝機能と引込み機能を備えている。より詳細には、このクローザーとは、傾斜扉３が半開きのときに閉じた状態まで強制的に移動させたり、傾斜扉３を強い力で閉じようとしたときにその力を緩衝するためのものである。食品陳列什器では、内部の衛生を保つために傾斜扉３を閉じた状態に保つことは有用であり、近年では需要が増えている。なお、このクローザーを設置しない場合には、上部ガイドレール１０に取付空間Ｓ１、Ｓ３を設けずに構成することもできる。
【００３３】
取付空間Ｓ２には、取付金具１１ａ、１１ｂに設けられた移動ローラー３７が取り付けられる。この移動ローラー３７は、上部ガイドレール１０の左右のいずれかの端部から挿入され、開閉方向の任意の位置へと移動することができるようになっている。
【００３４】
図６は、前側扉３ａを取り付けるための取付金具１１ａを単体で示す斜視図である。また、図７はその側面図である。
取付金具１１ａは、板金を折り曲げて形成した金具本体３０と、この金具本体３０に取り付けられる３つの移動ローラー３７と、前側扉３ａを取り付けるための取付ピン３６とで構成されている。
【００３５】
金具本体３０は、上下方向に起立する起立面部３１と、この起立面部３１の下端から前側に延びる底面部３２と、この底面部３２の前側端部から上側に延びる高さ合わせ部３３と、この高さ合わせ部３３から前側に水平に延びる取付部３４とで構成されている。
【００３６】
起立面部３１には、３つの移動ローラー３７が左右方向に間隔を空けて取り付けられている。この移動ローラー３７は、前後方向に延びる回転軸３７ａを中心にして開閉方向へと自由に回転することができるようになっている。また、移動ローラー３７には、その外周面に沿ってガイド溝３８が形成されている。このガイド溝３８は、図５に示すように、上部ガイドレール１０の中間壁部１３ａの下側を折り返して形成された下係合部１６、および、上部ガイドレールの上面から下側に向けて延びる上係合部１７に入り込むようにして取り付けられる。
【００３７】
このガイド溝３８の溝の底部は円弧状に形成されており、上係合部１７および下係合部１６の先端も、ガイド溝３８の円弧状の径と同じ径の円弧状に形成されている。この移動ローラー３７には、傾斜扉３がオフセットして取り付けられる分だけ斜めに荷重が作用してしまうため、この斜めの荷重を受けるために、それぞれを円弧状に形成している。
【００３８】
また、３つの移動ローラー３７は、それぞれの取付高さを若干ずらしている。より詳細には、左右の両端の移動ローラー３７の高さ位置を同じにし、中央の移動ローラー３７のみを上側に少しずらして取り付けている。これにより、下係合部１６および上係合部１７と常に２点で接触するようにして、上下のがたつきを抑え滑らかに移動できるようにしている。
【００３９】
底面部３２の中央部分には、上下方向に延びる捕捉ピン３５が設けられている。この捕捉ピン３５は、上述したクローザーに捕捉され、取付金具１１ａを閉じた位置まで強制的に移動せるためのものである。なお、クローザーを設けない場合には、この捕捉ピン３５も設ける必要はない。また、底面部３２の前後方向の長さは、その前側端部が上部ガイドレール１０の前側面１０ａ（図５参照）よりも前側に位置するように形成されている。
【００４０】
また、高さ合わせ部３３の上下方向の長さは、前側扉３ａと後側扉３ｂの取り付け高さ位置によって決定されており、最適な高さに適宜変更して製作される。
【００４１】
取付部３４は、前側扉３ａの上部を載せて固定するためのものであり、上下方向に延びる取付ピン３６が設けられている。この取付ピン３６は円柱状に形成されたピン部３６ａと、このピン部３６ａの直径よりも大きなフランジ部３６ｂとで構成されている。
【００４２】
このように取付金具１１ａを構成することで、取付金具１１ａは、上部ガイドレール１０に沿って開閉方向へ移動できるとともに、取付部３４を上部ガイドレール１０の前側面１０ａよりも前側に突出させて、この取付部３４に前側扉３ａを取り付けられるようにすることができる。
【００４３】
図８は、後側扉３ｂを取り付けるための取付金具１１ｂを単体で示す斜視図である。
取付金具１１ｂは、板金を折り曲げて形成した金具本体４０と、この金具本体４０に取り付けられる３つの移動ローラー３７と、後側扉３ｂを取り付けるための取付ピン３６とで構成されている。
【００４４】
金具本体４０は、上下方向に起立する起立面部４１と、起立面部４１の下端から前側に延びる取付部４２と、起立面部４１から後側に延びる第２取付部４３とで構成されている。
【００４５】
起立面部４１には、取付金具１１ａと同様に、３つの移動ローラー３７が同様にして取り付けられている。また、取付部４２についても、上部ガイドレール１０の前側面１０ａよりも前側に突出させ、この突出させた部分に取付ピン３６が取り付けられている。さらに、第２取付部４３にも、上下方向に延びるクローザー用の捕捉ピン４５が設けられている。
【００４６】
このように取付金具１１ｂを構成することで、取付金具１１ｂは、上部ガイドレール１０に沿って開閉方向へ移動できるとともに、取付部４２を上部ガイドレール１０の前側面１０ａよりも前側に突出させて、この取付部４２に後側扉３ｂを取り付けられるようにしている。
【００４７】
図９は、傾斜扉３の上部の斜視図であり、図１０は、後側扉３ｂを取付金具１１ｂに取り付ける状態を斜め後ろ側から見た拡大斜視図である。また、図１１は、固定具５０およびロック部材６０の固定前の状態を示す斜視図、図１２は、固定具５０およびロック部材６０の固定後の状態を示す斜視図である。さらに、図１３は、図１１または図１２の分解斜視図である。
【００４８】
傾斜扉３の上部には、左右方向の全長に亘って上桟６が設けられており、この上桟６の内部には、取付金具１１ａ、１１ｂの取付ピン３６に傾斜扉３を固定するための固定具５０が取り付けられる。この固定具５０は、例えば図９に示すように、取付金具１１ｂの取付部４２の上に後側扉３ｂの上桟６を載せた後に、取付ピン３６に対して後側にスライドさせて取り付けられる。そして、ロック部材６０を右側にスライドすることで固定される。
【００４９】
なお、固定具５０は、傾斜扉３の開閉方向の左右の両端部分にそれぞれ設けられており、この２つの箇所で取付金具１１ａ（１１ｂ）に取り付けられる。ロック部材６０は、上桟６の左右端部の外側から左側または右側に向けてそれぞれスライドして挿入されるようになる。
【００５０】
固定具５０は、図１３に示すように、前後に２分割の筒状に形成されており、前側部材５０ａと後側部材５０ｂとを組み合わせて使用されている。この固定具５０の前側および後側のそれぞれは、図１１〜図１３に示すように、開閉方向に連続して取付溝５４が形成されており、図５に示すように、この取付溝５４が上桟６の突部に係止されるようにして取り付けられる。また、固定具５０は、前側部材５０ａおよび後側部材５０ｂが前後に重なり合う内側に左右方向に延びる窪み５２がそれぞれ形成されており、組み合わせた状態で中空の筒状になる。
【００５１】
また、前側部材５０ａおよび後側部材５０ｂの左右方向の中央部には、前後方向に貫通する切り欠き部５３が形成されている。この切り欠き部５３には、上述した取付ピン３６が前後方向にスライドして挿入される。なお、図１０に示すように、上桟６には、固定具５０が取り付けられたときのこの切り欠き部５３と対応する位置に、同様に切り欠き６ａが設けられている。
【００５２】
ロック部材６０は、左側に位置する把持部６１と、この把持部６１から右側へ突出するロック部６２とで構成されている。把持部６１は、ロック部材６０を作業者が手で掴んで左右にスライドさせるためのものであり、その下側に指を入れるための空間６４が設けられている。この空間６４には、図１４（Ｃ）、図１５（Ｃ）に示すように、指を引っ掛けるための突起６５が突出している。
ロック部６２は、その先端に２つの爪部６２ａが形成されている。この爪部６２ａに前後に挟まれる態様で、その内側には捕捉空間６３が形成される。この爪部６２ａおよび捕捉空間６３は、取付ピン３６を捕捉するためのものである。
【００５３】
このロック部材６０は、図１１および図１２に示すように、ロック部６２が固定具５０に挿入される。より詳細には、図１１に示すように、爪部６２ａの部分のみが挿入された状態が固定前（ロック前）の状態であり、図１２に示すように、ロック部６２の全体が挿入された状態が固定後（ロック後）の状態になる。
【００５４】
次に、本発明の実施の形態に係る食品陳列什器１の動作・作用について詳細に説明する。
図１４および図１５は、固定具５０とロック部材６０との動作を説明する概要図である。なお、前側扉３ａおよび後側扉３ｂの着脱方法は同じであるため、以下の説明では前側扉３ａの着脱について説明する。
【００５５】
作業者が前側扉３ａを本体部２に取り付けようとする場合、まずは、前側扉３ａの上桟６を取付金具１１ａの取付部３４の上に載せる。次に、前側扉３ａを後側へとスライドさせ、上桟６の切り欠き６ａを通して切り欠き部５３の内部に取付ピン３６を挿入する。また、高さ合わせ部３３の上部には、図６および図７に示すように、取付部３４よりも上側へ突出する突起３３ａが設けられており、この突起３３ａに前側扉３ａを突き当てることで、前後方向の位置出しをしている。このロック前の状態では、図１４に示すように、ロック部材６０は固定具５０の外側に位置し、かつ、上桟６の外側に突出している（図１０参照）。また、図１４（Ｃ）に示すように、ロック部材６０の爪部６２ａは、切り欠き部５３に到達していない。
【００５６】
この状態から、図１５に示すように、ロック部材６０を固定具５０に完全に挿入することで、ロック状態になる。詳細には、図１５（Ｃ）に示すように、爪部６２ａが切り欠き部５３にまで到達し、爪部６２ａの弾性変形によって取付ピン３６が捕捉空間６３内に入り込むようになる。これにより、前側扉３ａの前後方向および左右方向の位置が規制される。また、取付ピン３６のフランジ部３６ｂの下面が爪部５２ａの上面と当接することにより、上下方向の位置も規制される。
【００５７】
ロックした状態では、ロック部材６０の把持部６１は、上桟６の端部（開閉扉の端部）よりも内側に入り込み、外側に突出していない状態になる。そのため、利用者側（手前側）からロック部材６０が見えないようになる。一方、ロックを解除した状態では、ロック部材６０を外側へスライドさせることで前側扉３ａの端部よりも外側へ突出するようになり、ロックがされていないことを店員が一見して認識できるようにした。
【００５８】
一方、前側扉３ａを取り外すときには、この逆の手順を辿ることで容易に行うことができる。このとき、ロック部材６０の把持部６１には、指を入れるための空間６４が形成されているので、この空間６４に指を入れることで、容易に引き出すことができる。
【００５９】
本発明の実施の形態に係る食品陳列什器１によれば、傾斜扉３の上部を支持する上部ガイドレール１０を有し、上部ガイドレール１０よりも手前側にオフセットした位置に傾斜扉３が取り付けられる食品陳列什器１であって、上部ガイドレール１０に沿って開閉方向へ移動する取付金具１１ａ、１１ｂを設け、取付金具１１ａ、１１ｂを上部ガイドレール１０の前側面１０ａよりも手前側へ突出させ、この突出した部分に傾斜扉３を取り付けるための取付部３４、４２を設けているので、傾斜扉３の着脱作業を上部ガイドレール１０の前側で行うことができ、取付部が前側面１０ａの後側に位置する構造（従来では、上部ガイドレールの下側）と比較して、傾斜扉３を容易に着脱することができる。
【００６０】
特に、取付金具１１ａ、１１ｂには、前後方向に延びる回転軸３７ａを中心にして開閉方向に回転する移動ローラー３７が設けられ、移動ローラー３７よりも取付部３４、４２が前側に位置するようにしているので、移動ローラー３７に作用する斜め方向の荷重を適式に受ける構造にすることで、取付部３４、４２を前側に突出させることができる。
【００６１】
また、開閉扉３には、開閉方向へスライド可能なロック部材６０が取り付けられ、ロック部材６０は、ロックした状態では、開閉扉３の幅方向の端部よりも内側に位置し、ロックを解除した状態では、ロック部材６０を外側へスライドさせることで開閉扉３の端部よりも外側へ突出するようにしているので、作業者は、このロック部材６０の突出の有無を確認するだけで、固定されているか否かが容易に判別することができる。また、固定した状態では、ロック部材６０が傾斜扉３の外側に突出しないようになるので、利用者に違和感を与えない。
【００６２】
さらに、取付部３４、４２には上下方向に突出する取付ピン３６が設けられ、ロック部材６０を開閉扉３の内側にスライドさせて取付ピン３６を捕捉することで開閉扉３をロックしているので、このロック部材６０をスライドさせるだけで、容易にロック（固定）することができる。また、開閉方向にスライドさせる構造なので、傾斜扉３の表面側にロックレバーやねじなどを設ける必要がなく、誤操作やいたずらで固定が解除されてしまうおそれがない。
【００６３】
さらにまた、移動ローラー３７には、周方向に沿って連続するガイド溝３８が形成され、上部ガイドレール１０には、ガイド溝３８に上側および下側から入り込む上係合部１７および下係合部１６が形成されているので、移動ローラー３７よりも前側に位置する取付部３４、４２に前後或いは上下に力が作用したとしても、移動ローラー３７が前後に若干傾くことによって、この力を受け流すことができる。これにより、取付部３４、４２が手前側に設けられて斜め方向に負荷が作用したとしても、移動ローラー３７が開閉方向にスムーズに移動できるようになる。
【００６４】
以上、本発明の実施の形態に係る食品陳列什器１について述べたが、本発明は既述の実施形態に限定されるものではなく、本発明の技術思想に基づいて各種の変形および変更が可能である。
【００６５】
例えば、本実施の形態では、上部ガイドレール１０よりも手前側にオフセットした位置に開閉扉が取り付けられるキャビネットの一例として、傾斜した開口部を覆うようにして取り付けられた傾斜扉３を有する食品陳列什器１について説明したが、これに限定されない。例えば、特許文献２、３で開示されているような略Ｌ字形状、曲面形状に形成された開閉扉を有するキャビネットであっても、開閉扉がオフセットした位置に取り付けられるものであれば同様の課題が発生するので、本発明の効果を奏するようになる。
【００６６】
また、本実施の形態では、キャビネットの一例として食品陳列什器１について説明しているが、扉がオフセットした位置に取り付けられて使用されるものであれば、書類棚、保管棚など、種々のものに使用することができる。
【符号の説明】
【００６７】
１  食品陳列什器（キャビネット）
２  食品陳列什器本体（本体部）
３  傾斜扉（開閉扉）
３ａ  前側扉
３ｂ  後側扉
４  棚部
６  上桟
６ａ  切り欠き
１０  上部ガイドレール
１０ａ  上部ガイドレールの前側面
１１ａ、１１ｂ  取付金具
１２  化粧板
１３ａ  １３ｂ  中間壁部
１４  前壁部
１５  後壁部
１６  下係合部
１７  上係合部
２０  下部ガイドレール
３０、４０  金具本体
３１  起立面部
３２  底面部
３３  高さ合わせ部
３３ａ  突起
３４、４２  取付部
３５、４５  捕捉ピン
３６  取付ピン
３６ａ  ピン部
３６ｂ  フランジ部
３７  移動ローラー
３７ａ  回転軸
３８  ガイド溝
４３  第２取付部
５０  固定具
５０ａ  前側部材
５０ｂ  後側部材
５２  窪み
５３  切り欠き部
５４  取付溝
６０  ロック部材
６１  把持部
６２  ロック部
６２ａ  爪部
６３  捕捉空間
６４  空間
６５  突起
Ｓ１、Ｓ２、Ｓ３  上部ガイドレール内の取付空間
【図１】
2020162791.tif 000003
【図２】
2020162791.tif 000004
【図３】
2020162791.tif 000005
【図４】
2020162791.tif 000006
【図５】
2020162791.tif 000007
【図６】
2020162791.tif 000008
【図７】
2020162791.tif 000009
【図８】
2020162791.tif 000010
【図９】
2020162791.tif 000011
【図１０】
2020162791.tif 000012
【図１１】
2020162791.tif 000013
【図１２】
2020162791.tif 000014
【図１３】
2020162791.tif 000015
【図１４】
2020162791.tif 000016
【図１５】
2020162791.tif 000017